Podtech/llm-jp-corpus-v4-ja_patent huggingface dataset:
【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
直列に接続されたｎ個（ｎは２以上の自然数）のトランジスタを有するトランジスタ群と、
前記トランジスタ群の一端のソースまたはドレインと電気的に接続され、信号が入力される素子と、を有し、
前記トランジスタ群の少なくとも一つのトランジスタをオン状態を維持したまま動作させ、前記トランジスタ群の中でオン状態を維持したまま動作するトランジスタ以外のトランジスタをスイッチング動作させる駆動手段と、
前記トランジスタ群の中で、オン状態を維持したまま動作するトランジスタと、スイッチング動作をするトランジスタとを順次切り替える選択手段と、を有し、
前記ｎ個のトランジスタはチャネル形成領域に酸化物半導体が用いられていることを特徴とする半導体装置。
【請求項２】
請求項１において、前記素子は容量素子であることを特徴とする半導体装置。
【請求項３】
請求項１において、前記素子は容量素子およびゲートが電気的に接続されるトランジスタであることを特徴とする半導体装置。
【請求項４】
請求項１において、前記素子は容量素子および液晶素子であることを特徴とする半導体装置。
【請求項５】
請求項１において、前記素子は、一方の電極が電気的に接続される容量素子およびゲートが電気的に接続されるトランジスタであり、当該トランジスタのソースまたはドレインの一方に前記容量素子の他方の電極が電気的に接続され、当該トランジスタのソースまたはドレインの他方に発光素子が電気的に接続されていることを特徴とする半導体装置。
【手続補正書】
【提出日】平成28年6月2日(2016.6.2)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
第１乃至第１０のトランジスタを有し、
前記第１のトランジスタのソース又はドレインの一方は、前記第２のトランジスタのソース又はドレインの一方に電気的に接続され、
前記第１のトランジスタのゲートは、前記第３のトランジスタのソース又はドレインの一方に電気的に接続され、
前記第１のトランジスタのゲートは、前記第４のトランジスタのソース又はドレインの一方に電気的に接続され、
前記第３のトランジスタのゲートは、前記第３のトランジスタのソース又はドレインの他方に電気的に接続され、
前記第３のトランジスタのゲートは、前記第５のトランジスタのソース又はドレインの一方に電気的に接続され、
前記第３のトランジスタのゲートは、前記第６のトランジスタのソース又はドレインの一方に電気的に接続され、
前記第５のトランジスタのゲートは、前記第７のトランジスタのソース又はドレインの一方に電気的に接続され、
前記第５のトランジスタのゲートは、前記第８のトランジスタのソース又はドレインの一方に電気的に接続され、
前記第７のトランジスタのゲートは、前記第９のトランジスタのゲートに電気的に接続され、
前記第８のトランジスタのゲートは、前記第９のトランジスタのソース又はドレインの一方に電気的に接続され、
前記第８のトランジスタのゲートは、前記第１０のトランジスタのソース又はドレインの一方に電気的に接続され、
前記第８のトランジスタのゲートは、前記第６のトランジスタのゲートに電気的に接続され、
前記第８のトランジスタのゲートは、前記第２のトランジスタのゲートに電気的に接続され、
前記第１０のトランジスタのゲートは、前記第４のトランジスタのゲートに電気的に接続されている半導体装置。
【請求項２】
第１乃至第１０のトランジスタを有し、
前記第１のトランジスタのソース又はドレインの一方は、前記第２のトランジスタのソース又はドレインの一方に電気的に接続され、
前記第１のトランジスタのゲートは、前記第３のトランジスタのソース又はドレインの一方に電気的に接続され、
前記第１のトランジスタのゲートは、前記第４のトランジスタのソース又はドレインの一方に電気的に接続され、
前記第３のトランジスタのゲートは、前記第３のトランジスタのソース又はドレインの他方に電気的に接続され、
前記第３のトランジスタのゲートは、前記第５のトランジスタのソース又はドレインの一方に電気的に接続され、
前記第３のトランジスタのゲートは、前記第６のトランジスタのソース又はドレインの一方に電気的に接続され、
前記第５のトランジスタのゲートは、前記第７のトランジスタのソース又はドレインの一方に電気的に接続され、
前記第５のトランジスタのゲートは、前記第８のトランジスタのソース又はドレインの一方に電気的に接続され、
前記第７のトランジスタのゲートは、前記第９のトランジスタのゲートに電気的に接続され、
前記第８のトランジスタのゲートは、前記第９のトランジスタのソース又はドレインの一方に電気的に接続され、
前記第８のトランジスタのゲートは、前記第１０のトランジスタのソース又はドレインの一方に電気的に接続され、
前記第８のトランジスタのゲートは、前記第６のトランジスタのゲートに電気的に接続され、
前記第８のトランジスタのゲートは、前記第２のトランジスタのゲートに電気的に接続され、
前記第１０のトランジスタのゲートは、前記第４のトランジスタのゲートに電気的に接続され、
前記第１乃至第１０のトランジスタは、チャネル形成領域に酸化物半導体を含む半導体装置。
【請求項３】
請求項１または請求項２において、
前記第１のトランジスタのソース又はドレインの他方は、第１の配線に電気的に接続され、
前記第５のトランジスタのソース又はドレインの他方は、第２の配線に電気的に接続される半導体装置。
【手続補正書】
【提出日】平成28年5月6日(2016.5.6)
【手続補正１】
【補正対象書類名】特許請求の範囲
【補正対象項目名】全文
【補正方法】変更
【補正の内容】
【特許請求の範囲】
【請求項１】
第１の電力モードと、当該第１の電力モードよりも消費電力が少ない第２の電力モードとで動作可能な画像処理装置であって、
前記第２の電力モードで動作する前記画像処理装置がパケットを受信した場合に、通信速度を維持したまま前記画像処理装置を前記第１の電力モードに移行させるか、通信速度をより高速な通信速度に変更して前記画像処理装置を前記第１の電力モードに移行させるかを、受信したパケットのボディ部に含まれている情報に基づいて決定する決定手段と、
前記決定手段による決定に従って、通信速度を維持したまま前記画像処理装置を前記第１の電力モードに移行させる第１の処理と、通信速度をより高速な通信速度に変更して前記画像処理装置を前記第１の電力モードに移行させる第２の処理のいずれかを実行する制御手段とを備え、
前記第１の処理又は前記第２の処理によって前記第２の電力モードから前記第１の電力モードに移行した前記画像処理装置は、前記受信したパケットを処理し、
前記画像処理装置が前記第２の電力モードで動作する場合、前記画像処理装置は、第２の通信速度で通信を実行し、前記第２の処理によって前記第２の電力モードから前記第１の電力モードに移行した前記画像処理装置は、前記第２の通信速度より高速な第１の通信速度で通信を実行することを特徴とする画像処理装置。
【請求項２】
前記第２の処理によって前記画像処理装置が前記第２の電力モードから前記第１の電力モードに移行した場合、前記制御手段は、前記受信したパケットの処理が完了したことに応じて、前記画像処理装置を前記第１の電力モードから前記第２の電力モードに移行させ、更に、通信速度を前記第１の通信速度から前記第２の通信速度に変更することを特徴とする請求項１に記載の画像処理装置。
【請求項３】
前記受信したパケットのボディ部に含まれている情報がＩＰＰ印刷を示す場合、前記決定手段は、通信速度をより高速な通信速度に変更して前記画像処理装置を前記第１の電力モードに移行させると決定することを特徴とする請求項１又は２に記載の画像処理装置。
【請求項４】
前記受信したパケットのボディ部に含まれている情報がＨＴＴＰアクセスを示す場合、前記決定手段は、通信速度を維持したまま前記画像処理装置を前記第１の電力モードに移行させると決定することを特徴とする請求項１乃至３のいずれか１項に記載の画像処理装置。
【請求項５】
前記受信したパケットのヘッダ部で指定されているプロトコルが特定のプロトコルであり、かつ、前記受信したパケットのヘッダ部で指定されているポート番号が特定のポート番号である場合に、前記決定手段は、前記受信したパケットのボディ部に含まれている情報に基づいて、通信速度を維持したまま前記画像処理装置を前記第１の電力モードに移行させるか、通信速度をより高速な通信速度に変更して前記画像処理装置を前記第１の電力モードに移行させるかを決定することを特徴とする請求項１乃至４のいずれか１項に記載の画像処理装置。
【請求項６】
前記特定のプロトコルはＴＣＰであり、前記特定のポート番号は８０番ポートであることを特徴とする請求項５に記載の画像処理装置。
【請求項７】
前記画像処理装置は、印刷装置であることを特徴とする請求項１乃至６のいずれか１項に記載の画像処理装置。
【請求項８】
第１の電力モードと、当該第１の電力モードよりも消費電力が少ない第２の電力モードとで動作可能な画像処理装置の制御方法であって、
前記第２の電力モードで動作する前記画像処理装置がパケットを受信した場合に、通信速度を維持したまま前記画像処理装置を前記第１の電力モードに移行させるか、通信速度をより高速な通信速度に変更して前記画像処理装置を前記第１の電力モードに移行させるかを、受信したパケットのボディ部に含まれている情報に基づいて決定する工程と、
前記決定する工程における決定に従って、通信速度を維持したまま前記画像処理装置を前記第１の電力モードに移行させる第１の処理と、通信速度をより高速な通信速度に変更して前記画像処理装置を前記第１の電力モードに移行させる第２の処理のいずれかを実行する工程と、
前記第１の処理又は前記第２の処理によって前記第２の電力モードから前記第１の電力モードに移行した前記画像処理装置に、前記受信したパケットを処理させる工程と、
前記画像処理装置が前記第２の電力モードで動作する場合、前記画像処理装置に、第２の通信速度で通信を実行させ、前記第２の処理によって前記第２の電力モードから前記第１の電力モードに移行した前記画像処理装置に、前記第２の通信速度より高速な第１の通信速度で通信を実行させる工程と
を含むことを特徴とする画像処理装置の制御方法。
【請求項９】
請求項８に記載の画像処理装置の制御方法における各工程をコンピュータに実行させるためのプログラム。
【手続補正２】
【補正対象書類名】明細書
【補正対象項目名】０００９
【補正方法】変更
【補正の内容】
【０００９】
本発明は、例えば、画像処理装置として実現できる。画像処理装置は、第１の電力モードと、当該第１の電力モードよりも消費電力が少ない第２の電力モードとで動作可能な画像処理装置であって、前記第２の電力モードで動作する前記画像処理装置がパケットを受信した場合に、通信速度を維持したまま前記画像処理装置を前記第１の電力モードに移行させるか、通信速度をより高速な通信速度に変更して前記画像処理装置を前記第１の電力モードに移行させるかを、受信したパケットのボディ部に含まれている情報に基づいて決定する決定手段と、前記決定手段による決定に従って、通信速度を維持したまま前記画像処理装置を前記第１の電力モードに移行させる第１の処理と、通信速度をより高速な通信速度に変更して前記画像処理装置を前記第１の電力モードに移行させる第２の処理のいずれかを実行する制御手段とを備え、前記第１の処理又は前記第２の処理によって前記第２の電力モードから前記第１の電力モードに移行した前記画像処理装置は、前記受信したパケットを処理し、前記画像処理装置が前記第２の電力モードで動作する場合、前記画像処理装置は、第２の通信速度で通信を実行し、前記第２の処理によって前記第２の電力モードから前記第１の電力モードに移行した前記画像処理装置は、前記第２の通信速度より高速な第１の通信速度で通信を実行することを特徴とする。
【手続補正３】
【補正対象書類名】明細書
【補正対象項目名】００５０
【補正方法】変更
【補正の内容】
【００５０】
ＨＴＴＰフレーム５３０に含まれる情報は、ＨＴＴＰアクセスの場合と同様、本実施形態において、パケット・ボディ部（データ部）として処理される（Ｓ４０４、Ｓ４０５）。ＨＴＴＰフレーム５３０に「POST / IPP/1.1」等のＩＰＰヘッダが設定されていた場合に、受信パケットはＩＰＰパケットであると判定される。更に、ＩＰＰフレーム６００は、ＲＦＣ２５６６で規定され、受信パケットが印刷ジョブの要求（印刷要求）を含むか否かを判定するために、パケット・ボディ部として参照される（Ｓ４０５、Ｓ４０５）。ＩＰＰフレーム６００のオペレーションコード・フィールド６０１の値が「0x0002」である場合、受信パケットは印刷ジョブの要求（印刷要求）のためのパケットであると判定される。
【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
コンデンサマイクからの音声信号を増幅し所定のゲインを有するプリアンプであって、ゲインを設定するために第１のコンデンサと帰還抵抗がオペアンプの出力端子と入力端子の間にそれぞれ接続されているオペアンプを備えるプリアンプと、
前記プリアンプの出力及び前記音声信号の一方に結合された入力を有するレベル検出回路であって、前記音声信号のレベルがマイクアンプ回路のノイズレベルの近傍にある時にレベル検出信号を出力するレベル検出回路と、
前記レベル検出信号の状態に応じて変化する量だけ前記プリアンプから出力される音声信号のレベルを減衰させる減衰器と、を備えることを特徴とするマイクアンプ回路。
【請求項２】
前記減衰器は、前記プリアンプの出力端子に一端が接続された第１の抵抗と、
前記第１の抵抗の他端と接地の間に直列に接続された第２の抵抗及びスイッチング素子と、を備え、前記スイッチング素子は前記レベル検出信号に応じてオンすることを特徴とする請求項１に記載のマイクアンプ回路。
【請求項３】
コンデンサマイクからの音声信号を増幅し所定のゲインを有するプリアンプであって、ゲインを設定するために第１のコンデンサと帰還抵抗がオペアンプの出力端子と入力端子の間にそれぞれ接続されているオペアンプを備えるプリアンプと、
前記プリアンプの出力及び前記音声信号の一方に結合された入力を有するレベル検出回路であって、前記音声信号のレベルがマイクアンプ回路のノイズレベルの近傍であって該ノイズレベルより高い第１のレベルよりも低い時に第１のレベル検出信号を出力し、前記音声信号のレベルが前記ノイズレベルより高く前記第１のレベルより低い第２のレベルよりも低い時に第２のレベル検出信号を出力するレベル検出回路と、
前記第１のレベル検出信号に応じて第１の量だけ前記プリアンプから出力される前記音声信号のレベルを減衰させ、前記第２のレベル検出信号に応じて第１の量よりも大きい第２の量だけ前記プリアンプから出力される信号のレベルをさらに大きく減衰させる減衰器と、を備えることを特徴とするマイクアンプ回路。
【請求項４】
前記減衰器は、前記プリアンプの出力端子に一端が接続された第１の抵抗と、
前記第１の抵抗の他端と接地の間に直列に接続された第２の抵抗及び第１のスイッチング素子と、
前記第１の抵抗の他端と接地の間に直列に接続された第３の抵抗及び第２のスイッチング素子と、を備え、前記第１のスイッチング素子は前記第１のレベル検出信号に応じてオンし、前記第２のスイッチング素子は前記第２のレベル検出信号に応じてオンすることを特徴とする請求項３に記載のマイクアンプ回路。
【請求項５】
前記レベル検出回路は、前記プリアンプにより増幅された後の音声信号のレベルを検出することを特徴とする請求項１から４のいずれか一項に記載のマイクアンプ回路。
【請求項６】
前記レベル検出回路は、前記プリアンプにより増幅される前の音声信号のレベルを検出することを特徴とする請求項１から４のいずれか一項に記載のマイクアンプ回路。
【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
演算部と、データ退避部と、を有し、
前記データ退避部は、第１のトランジスタと、第２のトランジスタと、第１の容量素子と、第２の容量素子と、コンパレータと、を有し、
前記第１のトランジスタのソース又はドレインの一方は、前記演算部にある第１のノードと電気的に接続され、
前記第１のトランジスタのソース又はドレインの他方は、前記コンパレータの、第１の入力端子と電気的に接続され、
前記第１のトランジスタのソース又はドレインの他方は、前記第１の容量素子の電極と電気的に接続され、
前記第１のトランジスタのゲートは、配線と電気的に接続され、
前記第２のトランジスタのソース又はドレインの一方は、前記演算部にある第２のノードと電気的に接続され、
前記第２のトランジスタのソース又はドレインの他方は、前記コンパレータの、第２の入力端子と電気的に接続され、
前記第２のトランジスタのソース又はドレインの他方は、前記第２の容量素子の電極と電気的に接続され、
前記第２のトランジスタのゲートは、前記配線と電気的に接続され、
前記コンパレータの出力端子は、前記演算部と電気的に接続され、
前記第１のトランジスタ及び前記第２のトランジスタは、それぞれ、酸化物半導体に形成されるチャネル形成領域を有することを特徴とする半導体装置。
【請求項２】
演算部と、データ退避部と、を有し、
前記演算部は、第１のノードと、第２のノードと、を有し、
前記データ退避部は、第３のノードと、第４のノードと、を有し、
前記第１のノードは、第１のトランジスタを介して、前記第３のノードと電気的に接続され、
前記第２のノードは、第２のトランジスタを介して、前記第４のノードと電気的に接続され、
前記第３のノードは、コンパレータの第１の入力端子と電気的に接続され、
前記第４のノードは、前記コンパレータの第２の入力端子と電気的に接続され、
前記コンパレータの出力端子は、前記演算部と電気的に接続され、
前記第１のトランジスタ及び前記第２のトランジスタは、それぞれ、酸化物半導体に形成されるチャネル形成領域を有する半導体装置の駆動方法であって、
第１の期間において、前記演算部へ電源電圧を供給し、
第２の期間において、前記第１のノードに保持されているデータを前記第３のノードへ退避し、かつ前記第２のノードに保持されているデータを前記第４のノードへ退避し、
第３の期間において、前記演算部への電源電圧の供給を停止し、
第４の期間において、前記演算部へ電源電圧を供給し、前記コンパレータの出力信号に基づき、前記第１のノード、及び前記第２のノードのそれぞれに、データを復元することを特徴とする半導体装置の駆動方法。
【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
携帯情報端末と、サーバーと、電気機器と、を有し、
前記電気機器は、通信回路と、電力供給回路と、負荷と、を有し、
前記電力供給回路は、スイッチと、電圧調整回路と、電源スイッチ制御回路と、を有し、
前記サーバーは、前記携帯情報端末と情報の送受信を行い、
前記電気機器は、前記通信回路により前記サーバーと前記情報の送受信を行い、
前記電源スイッチ制御回路は、前記サーバーから受信した前記情報により前記第スイッチのオン状態とオフ状態が制御し、
前記電力供給回路は、前記スイッチを介して前記負荷に電力を供給することを特徴とする遠隔操作システム。
【請求項２】
携帯情報端末と、サーバーと、電気機器と、を有し、
前記電気機器は、通信回路と、電力供給回路と、負荷と、を有し、
前記電力供給回路は、第１のトランジスタと、第２のトランジスタと、電圧調整回路と、電源スイッチ制御回路と、を有し、
前記第１のトランジスタのゲートは、前記電源スイッチ制御回路に接続され、
前記第２のトランジスタのゲートは、前記電源スイッチ制御回路に接続され、
前記第１のトランジスタのソース又はドレインの一方は、前記電圧調整回路に接続され、
前記第２のトランジスタのソース又はドレインの一方は、前記電圧調整回路に接続され
前記サーバーは、前記携帯情報端末と情報の送受信を行い、
前記電気機器は、前記通信回路により前記サーバーと前記情報の送受信を行い、
前記電源スイッチ制御回路は、前記サーバーから受信した前記情報により前記第１のトランジスタ及び前記第２のトランジスタのオン状態とオフ状態が制御し、
前記電圧調整回路は、前記負荷に電力を供給することを特徴とする遠隔操作システム。
【請求項３】
携帯情報端末と、サーバーと、電気機器と、を有し、
前記電気機器は、通信回路と、電力供給回路と、負荷と、を有し、
前記電力供給回路は、第１のトランジスタと、第２のトランジスタと、電圧調整回路と、電源スイッチ制御回路と、を有し、
前記第１のトランジスタのゲートは、前記電源スイッチ制御回路に接続され、
前記第２のトランジスタのゲートは、前記電源スイッチ制御回路に接続され、
前記第１のトランジスタのソース又はドレインの一方は、前記電圧調整回路に接続され、
前記第２のトランジスタのソース又はドレインの一方は、前記電圧調整回路に接続され
前記サーバーは、前記携帯情報端末と情報の送受信を行い、
前記電気機器は、前記通信回路により前記サーバーと前記情報の送受信を行い、
前記電源スイッチ制御回路は、前記サーバーから受信した前記情報により前記第１のトランジスタ及び前記第２のトランジスタのオン状態とオフ状態が制御し、
前記電圧調整回路は、前記負荷に電力を供給し、
前記第１のトランジスタ及び前記第２のトランジスタの各々は、バンドギャップが単結晶より広い半導体を含むトランジスタであることを特徴とする遠隔操作システム。
【請求項４】
請求項３において、
前記半導体は、酸化物半導体であることを特徴とする遠隔操作システム。
【請求項５】
請求項１乃至請求項４のいずれか一において、
前記携帯情報端末と前記サーバーは、電話回線またはインターネット回線により接続されることを特徴とする遠隔操作システム。
【請求項６】
請求項１乃至請求項５いずれか一において、
前記サーバーと前記電気機器は、無線通信により前記情報の送受信が行われることを特徴とする遠隔操作システム。
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
所定数の遊技球を内部に封入し、発射した遊技球数と回収した遊技球数とを管理しながら遊技を行う循環式遊技機において、
発射位置の遊技球を遊技領域に発射する発射動作を行う発射手段と、
前記発射位置に遊技球を１個ずつ送り出す球送り手段と、
前記発射位置へと送り出された遊技球を検出する発射球検出手段と、
前記発射手段により遊技球を発射する際の発射強度を調節する発射強度調節手段と、
発射操作の有無を検出する操作検出手段と、
前記球送り手段により前記発射位置へと遊技球を送り出す時点の前記発射強度を記憶する球送り時発射強度記憶手段と、を備え、
前記発射手段は、少なくとも、前記発射位置に遊技球があれば、前記操作検出手段の検出状態に拘わらず該遊技球を発射する構成とし、該発射時に前記操作検出手段による検出状態が未検出である場合は、前記球送り時発射強度記憶手段が記憶する前記発射強度に応じて遊技球を発射する
ことを特徴とする循環式遊技機。
【手続補正２】
【補正対象書類名】明細書
【補正対象項目名】００１０
【補正方法】変更
【補正の内容】
【００１０】
請求項１記載の遊技機は、
所定数の遊技球を内部に封入し、発射した遊技球数と回収した遊技球数とを管理しながら遊技を行う循環式遊技機において、
発射位置の遊技球を遊技領域に発射する発射動作を行う発射手段と、
前記発射位置に遊技球を１個ずつ送り出す球送り手段と、
前記発射位置へと送り出された遊技球を検出する発射球検出手段と、
前記発射手段により遊技球を発射する際の発射強度を調節する発射強度調節手段と、
発射操作の有無を検出する操作検出手段と、
前記球送り手段により前記発射位置へと遊技球を送り出す時点の前記発射強度を記憶する球送り時発射強度記憶手段と、を備え、
前記発射手段は、少なくとも、前記発射位置に遊技球があれば、前記操作検出手段の検出状態に拘わらず該遊技球を発射する構成とし、該発射時に前記操作検出手段による検出状態が未検出である場合は、前記球送り時発射強度記憶手段が記憶する前記発射強度に応じて遊技球を発射する
ことを特徴とする循環式遊技機である。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００２０
【補正方法】変更
【補正の内容】
【００２０】
請求項１に記載の循環式遊技機では、球送り手段によって遊技球が発射位置に送り出されれば、該送り出した後の操作検出手段の検出状態に拘らず、球送り手段が遊技球を送り出した時点の発射操作の量に応じて発射位置の遊技球を発射する。これにより、発射位置（発射レール上）に遊技球が残存することを防止し、循環式遊技機においては、ＩＮ数とＯＵＴ数の関係性を正常に保ち、意図せず発生する不要な異常報知が回避され、遊技者に不快な思いをさせることがない。
【手続補正７】
【補正対象書類名】明細書
【補正対象項目名】００２１
【補正方法】削除
【補正の内容】
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
遊技者への遊技球の貸し出し処理と、遊技球を貯留するための記憶媒体の情報の読取りおよび書込みなどの情報処理とを行う情報処理装置と通信可能に構成されており、発射装置により遊技盤に発射された遊技球を回収し、回収した遊技球を前記発射装置により再度発射することで、内部に封入された所定数の遊技球を循環的に使用して遊技を行う遊技球封入式の遊技機であって、
遊技の進行を制御する主制御装置と、
遊技の進行に応じて演出図柄を表示する演出図柄表示手段と、
該演出図柄表示手段を制御する演出図柄制御装置と、
前記情報処理装置より遊技球の貸出情報又は遊技球の貯留情報に基づいて遊技者が遊技に用いることができる遊技球の持ち球数の情報を受け、該持球数の情報に基づいて前記発射装置を制御せしめるとともに、遊技盤に設けられた複数の入賞口への入球に応じて賞球を付与する副制御装置と、
該副制御装置に、前記発射装置により発射される遊技球を検出する発射球検出手段と、
遊技盤に発射された遊技球のうちの入賞した入賞球を検出する入賞球検出手段と、
入賞しなかったアウト球を検出するアウト球検出手段と、
遊技盤面上に遊技球を停留する停留装置と、
該停留装置内に停留された遊技球が存在するか否かを判定する停留判定手段と、を具備し、
前記発射球検出手段により検出される発射球数と、前記アウト球検出手段により検出されるアウト球数と、前記入賞球検出手段により検出される入賞球数とにより、発射球数の管理を行い、
前記停留判定手段により停留された遊技球が存在すると判定された場合には、前記入賞球検出手段により検出される入賞球数及び前記アウト球検出手段により検出されるアウト球数を確定しなく、
前記停留判定手段により停留された遊技球が存在しないと判定された場合には、停留された遊技球が存在しないと判定された後から所定時間経過したことを条件として、前記入賞球検出手段により検出される入賞球数及び前記アウト球検出手段により検出されるアウト球数を確定し、
前記入賞球検出手段及び前記アウト球検出手段を前記主制御装置に接続し、
前記主制御装置は、前記入賞球検出手段により検出される入賞に応じた賞球数、前記入賞球検出手段により検出される入賞球数、および前記アウト球検出手段により検出されるアウト球数に応じて前記持ち球数を算出し、該算出された持ち球数を前記演出図柄制御装置に送信し、
前記演出図柄制御装置は、受信した持ち球数を前記演出図柄表示手段に表示制御する、
ことを特徴とする封入式遊技機。
【請求項２】
請求項１に記載の封入式遊技機において、
前記停留装置内に停留された遊技球が存在すると判定されている場合と存在しないと判定されている場合とでは、前記演出図柄表示手段により表示制御される持ち球数の表示態様を相違させる、ことを特徴とする封入式遊技機。
【手続補正２】
【補正対象書類名】明細書
【補正対象項目名】０００６
【補正方法】変更
【補正の内容】
【０００６】
請求項1に記載の発明は、遊技者への遊技球の貸し出し処理と、遊技球を貯留するための記憶媒体の情報の読取りおよび書込みなどの情報処理とを行う情報処理装置と通信可能に構成されており、発射装置により遊技盤に発射された遊技球を回収し、回収した遊技球を前記発射装置により再度発射することで、内部に封入された所定数の遊技球を循環的に使用して遊技を行う遊技球封入式の遊技機であって、
遊技の進行を制御する主制御装置と、
遊技の進行に応じて演出図柄を表示する演出図柄表示手段と、
該演出図柄表示手段を制御する演出図柄制御装置と、
前記情報処理装置より遊技球の貸出情報又は遊技球の貯留情報に基づいて遊技者が遊技に用いることができる遊技球の持ち球数の情報を受け、該持球数の情報に基づいて前記発射装置を制御せしめるとともに、遊技盤に設けられた複数の入賞口への入球に応じて賞球を付与する副制御装置と、
該副制御装置に、前記発射装置により発射される遊技球を検出する発射球検出手段と、
遊技盤に発射された遊技球のうちの入賞した入賞球を検出する入賞球検出手段と、
入賞しなかったアウト球を検出するアウト球検出手段と、
遊技盤面上に遊技球を停留する停留装置と、
該停留装置内に停留された遊技球が存在するか否かを判定する停留判定手段と、を具備し、
前記発射球検出手段により検出される発射球数と、前記アウト球検出手段により検出されるアウト球数と、前記入賞球検出手段により検出される入賞球数とにより、発射球数の管理を行い、
前記停留判定手段により停留された遊技球が存在すると判定された場合には、前記入賞球検出手段により検出される入賞球数及び前記アウト球検出手段により検出されるアウト球数を確定しなく、
前記停留判定手段により停留された遊技球が存在しないと判定された場合には、停留された遊技球が存在しないと判定された後から所定時間経過したことを条件として、前記入賞球検出手段により検出される入賞球数及び前記アウト球検出手段により検出されるアウト球数を確定し、
前記入賞球検出手段及び前記アウト球検出手段を前記主制御装置に接続し、
前記主制御装置は、前記入賞球検出手段により検出される入賞に応じた賞球数、前記入賞球検出手段により検出される入賞球数、および前記アウト球検出手段により検出されるアウト球数に応じて前記持ち球数を算出し、該算出された持ち球数を前記演出図柄制御装置に送信し、
前記演出図柄制御装置は、受信した持ち球数を前記演出図柄表示手段に表示制御する、
ことを特徴とする。
【手続補正３】
【補正対象書類名】明細書
【補正対象項目名】００１０
【補正方法】変更
【補正の内容】
【００１０】
請求項２に記載の発明は、請求項１に記載の封入式遊技機において、
前記停留装置内に停留された遊技球が存在すると判定されている場合と存在しないと判定されている場合とでは、前記演出図柄表示手段により表示制御される持ち球数の表示態様を相違させる、ことを特徴とする。
請求項２に記載の発明によれば、入賞球数及び／又はアウト球数が確定している場合と確定していない場合とで持ち球数の表示態様が相違するので、遊技者は停留された遊技球により持ち球が増加又は減少することを容易に知ることができる。
【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
遊技者への遊技球の貸し出し処理と、遊技球を貯留するための記憶媒体の情報の読取りおよび書込みなどの情報処理とを行う情報処理装置と通信可能に構成されており、発射装置により遊技盤に発射された遊技球を回収し、回収した遊技球を前記発射装置により再度発射することで、内部に封入された所定数の遊技球を循環的に使用して遊技を行う遊技球封入式の遊技機であって、
遊技の進行を制御する主制御装置と、
遊技の進行に応じて演出図柄を表示する演出図柄表示手段と、
該演出図柄表示手段を制御する演出図柄制御装置と、
前記情報処理装置より遊技球の貸出情報又は遊技球の貯留情報に基づいて遊技者が遊技に用いることができる遊技球の持ち球数の情報を受け、該持球数の情報に基づいて前記発射装置を制御せしめるとともに、遊技盤に設けられた複数の入賞口への入球に応じて賞球を付与する副制御装置と、
該副制御装置に、前記発射装置により発射される遊技球を検出する発射球検出手段と、
遊技盤に発射された遊技球のうちの入賞した入賞球を検出する入賞球検出手段と、
入賞しなかったアウト球を検出するアウト球検出手段と、
内部に遊技球を停留する停留装置を有する入賞口と、を具備し、
該停留装置内に前記入賞球検出手段を設けることなく、該停留手段を有する入賞口の入口に前記入賞球検出手段を設け、
前記発射球検出手段により検出される発射球数と、前記アウト球検出手段により検出されるアウト球数と、前記入賞球検出手段により検出される入賞球数とにより、発射球数の管理を行い、
前記入賞球検出手段及び前記アウト球検出手段を前記主制御装置に接続し、
前記主制御装置は、前記入賞球検出手段により検出される入賞に応じた賞球数、前記入賞球検出手段により検出される入賞球数、および前記アウト球検出手段により検出されるアウト球数に応じて前記持ち球数を算出し、該算出された持ち球数を前記演出図柄制御装置に送信し、
前記演出図柄制御装置は、受信した持ち球数を前記演出図柄表示手段に表示制御する、
ことを特徴とする封入式遊技機。
【手続補正２】
【補正対象書類名】明細書
【補正対象項目名】０００６
【補正方法】変更
【補正の内容】
【０００６】
請求項1に記載の発明は、遊技者への遊技球の貸し出し処理と、遊技球を貯留するための記憶媒体の情報の読取りおよび書込みなどの情報処理とを行う情報処理装置と通信可能に構成されており、発射装置により遊技盤に発射された遊技球を回収し、回収した遊技球を前記発射装置により再度発射することで、内部に封入された所定数の遊技球を循環的に使用して遊技を行う遊技球封入式の遊技機であって、
遊技の進行を制御する主制御装置と、
遊技の進行に応じて演出図柄を表示する演出図柄表示手段と、
該演出図柄表示手段を制御する演出図柄制御装置と、
前記情報処理装置より遊技球の貸出情報又は遊技球の貯留情報に基づいて遊技者が遊技に用いることができる遊技球の持ち球数の情報を受け、該持球数の情報に基づいて前記発射装置を制御せしめるとともに、遊技盤に設けられた複数の入賞口への入球に応じて賞球を付与する副制御装置と、
該副制御装置に、前記発射装置により発射される遊技球を検出する発射球検出手段と、
遊技盤に発射された遊技球のうちの入賞した入賞球を検出する入賞球検出手段と、
入賞しなかったアウト球を検出するアウト球検出手段と、
内部に遊技球を停留する停留装置を有する入賞口と、を具備し、
該停留装置内に前記入賞球検出手段を設けることなく、該停留手段を有する入賞口の入口に前記入賞球検出手段を設け、
前記発射球検出手段により検出される発射球数と、前記アウト球検出手段により検出されるアウト球数と、前記入賞球検出手段により検出される入賞球数とにより、発射球数の管理を行い、
前記入賞球検出手段及び前記アウト球検出手段を前記主制御装置に接続し、
前記主制御装置は、前記入賞球検出手段により検出される入賞に応じた賞球数、前記入賞球検出手段により検出される入賞球数、および前記アウト球検出手段により検出されるアウト球数に応じて前記持ち球数を算出し、該算出された持ち球数を前記演出図柄制御装置に送信し、
前記演出図柄制御装置は、受信した持ち球数を前記演出図柄表示手段に表示制御する、
ことを特徴とする。
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
遊技に使用するための遊技媒体をベットするベット手段と、
遊技媒体のベットを条件とし、スタートスイッチの操作に基づき、当選役およびハズレのうちのいずれかを当選役抽選により決定する当選役抽選手段と、
複数種類の図柄がそれぞれ配列された複数の回転リールと、
前記スタートスイッチの操作に基づき、前記複数の回転リールを回転制御し、回転している回転リールに対応したストップスイッチの操作に基づき、操作された前記ストップスイッチに対応する回転リールをそれぞれ停止制御するリール制御手段と、
前記当選役抽選で決定した当選役に対応する図柄組み合わせが有効ライン上に表示されたことに基づいて、当該当選役に対応する遊技媒体を払い出す払出制御手段と、
前記当選役抽選手段で決定された抽選結果に基づいて遊技の演出を決定する演出決定手段と、
決定した演出に応じ、演出を実行するデバイスを制御する複数のデバイス制御手段に、前記演出を実行させるためのコマンドであるデバイスコマンドをそれぞれ送信する演出実行手段と、
複数の前記デバイスコマンドから構成されるコマンドを記憶手段に格納するコマンド格納手段と、
電源切断後の電源の再投入を契機に、前記コマンド格納手段が格納した前記コマンドを再度送信するコマンド送信手段と、
を備えたことを特徴とする遊技機。
【請求項２】
前記スタートスイッチの操作から、前記複数のストップスイッチ全ての操作が完了するまでの間に電源切断が生じた場合に、前記コマンド送信手段は、前記コマンドを再度送信することを特徴とする請求項１に記載の遊技機。
【請求項３】
前記演出は、前記ストップスイッチの操作態様が所定の操作態様であることが入賞条件として設定された当選役に当選したときに、前記ストップスイッチの操作順または操作タイミングを報知する補助演出であることを特徴とする請求項１または２に記載の遊技機。
【請求項４】
遊技に使用するための遊技媒体をベットするベット手段と、
遊技媒体のベットを条件とし、スタートスイッチの操作に基づき、当選役およびハズレのうちのいずれかを当選役抽選により決定する当選役抽選手段と、
複数種類の図柄がそれぞれ配列された複数の回転リールと、
前記スタートスイッチの操作に基づき、前記複数の回転リールを回転制御し、回転している回転リールに対応したストップスイッチの操作に基づき、操作された前記ストップスイッチに対応する回転リールをそれぞれ停止制御するリール制御手段と、
前記当選役抽選で決定した当選役に対応する図柄組み合わせが有効ライン上に表示されたことに基づいて、当該当選役に対応する遊技媒体を払い出す払出制御手段と、
複数の当選役が重複して当選すると、いずれかの当選役が入賞可能となる操作順に基づき、操作すべきストップスイッチを報知する演出実行手段と、
を備え、
電源切断後の電源の再投入において、
前記リール制御手段は、前記電源切断前に操作されていないストップスイッチに対応する回転リールを回転制御し、
前記演出実行手段は、前記電源切断前に報知され対応するストップスイッチが既に操作されている前記操作すべきストップスイッチは報知せず、前記電源切断前に報知されているが対応するストップスイッチが操作されていない前記操作すべきストップスイッチを再度報知することを特徴とする遊技機。
【手続補正２】
【補正対象書類名】明細書
【補正対象項目名】００１１
【補正方法】変更
【補正の内容】
【００１１】
上記課題を解決するために、本発明の遊技機は、遊技に使用するための遊技媒体をベットするベット手段と、遊技媒体のベットを条件とし、スタートスイッチの操作に基づき、当選役およびハズレのうちのいずれかを当選役抽選により決定する当選役抽選手段と、複数種類の図柄がそれぞれ配列された複数の回転リールと、スタートスイッチの操作に基づき、複数の回転リールを回転制御し、回転している回転リールに対応したストップスイッチの操作に基づき、操作されたストップスイッチに対応する回転リールをそれぞれ停止制御するリール制御手段と、当選役抽選で決定した当選役に対応する図柄組み合わせが有効ライン上に表示されたことに基づいて、当該当選役に対応する遊技媒体を払い出す払出制御手段と、当選役抽選手段で決定された抽選結果に基づいて遊技の演出を決定する演出決定手段と、決定した演出に応じ、演出を実行するデバイスを制御する複数のデバイス制御手段に、演出を実行させるためのコマンドであるデバイスコマンドをそれぞれ送信する演出実行手段と、複数のデバイスコマンドから構成されるコマンドを記憶手段に格納するコマンド格納手段と、電源切断後の電源の再投入を契機に、コマンド格納手段が格納したコマンドを再度送信するコマンド送信手段と、を備えたことを特徴とする。
【手続補正３】
【補正対象書類名】明細書
【補正対象項目名】００１２
【補正方法】変更
【補正の内容】
【００１２】
スタートスイッチの操作から、複数のストップスイッチ全ての操作が完了するまでの間に電源切断が生じた場合に、コマンド送信手段は、コマンドを再度送信してもよい。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
演出は、ストップスイッチの操作態様が所定の操作態様であることが入賞条件として設定された当選役に当選したときに、ストップスイッチの操作順または操作タイミングを報知する補助演出であってもよい。
また、上記課題を解決するために、本発明の他の遊技機は、遊技に使用するための遊技媒体をベットするベット手段と、遊技媒体のベットを条件とし、スタートスイッチの操作に基づき、当選役およびハズレのうちのいずれかを当選役抽選により決定する当選役抽選手段と、複数種類の図柄がそれぞれ配列された複数の回転リールと、スタートスイッチの操作に基づき、複数の回転リールを回転制御し、回転している回転リールに対応したストップスイッチの操作に基づき、操作されたストップスイッチに対応する回転リールをそれぞれ停止制御するリール制御手段と、当選役抽選で決定した当選役に対応する図柄組み合わせが有効ライン上に表示されたことに基づいて、当該当選役に対応する遊技媒体を払い出す払出制御手段と、複数の当選役が重複して当選すると、いずれかの当選役が入賞可能となる操作順に基づき、操作すべきストップスイッチを報知する演出実行手段と、を備え、電源切断後の電源の再投入において、リール制御手段は、電源切断前に操作されていないストップスイッチに対応する回転リールを回転制御し、演出実行手段は、電源切断前に報知され対応するストップスイッチが既に操作されている操作すべきストップスイッチは報知せず、電源切断前に報知されているが対応するストップスイッチが操作されていない操作すべきストップスイッチを再度報知することを特徴とする。
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
被写体の撮像を行う撮像部と、
画像を投映する投映部と、
前記投映部により前記画像の投映を行いつつ前記撮像部により前記被写体の撮像を行なう撮像制御部と、
前記撮像部から出力される画像データに基づいて主要被写体を検出する検出部と、
前記検出部により検出された前記主要被写体に基づいて、前記投映部により投映する前記画像を決定する決定部と
を備えるカメラ。
【請求項２】
前記投映部は、前記撮像部による撮影画角内に前記画像を投映する請求項１記載のカメラ。
【請求項３】
前記決定部は、更に前記主要被写体の動きに基づいて前記投映部により投映する前
記画像を決定する請求項１または２記載のカメラ。
【請求項４】
前記画像は、前記検出部により検出された前記主要被写体の位置に基づいて、所定の絵柄が前記主要被写体を追尾する画像である請求項３記載のカメラ。
【請求項５】
被写体の撮像を行う撮像部と、
画像を投映する投映部と、
前記投映部により前記画像の投映を行いつつ前記撮像部により前記被写体の撮像を行ない、撮像した画像を記憶媒体に記憶する撮像制御部と
を備えるカメラ。
【請求項６】
前記投映部は、前記撮像部による撮影画角内に前記画像を投映する請求項５記載のカメラ。
【請求項７】
前記投映部により投映される前記画像を記憶する記憶部と、
前記記憶部に記憶されている前記画像から前記投映部により投映する前記画像を選択する選択部と
を備える請求項５または６記載のカメラ。
【請求項８】
前記撮像制御部により前記撮像部による動画像の撮像が行われている際に、前記選択部により前記画像が再度選択された場合には、前記投映部により再度選択された前記画像を投映する請求項７記載のカメラ。
【手続補正２】
【補正対象書類名】明細書
【補正対象項目名】０００６
【補正方法】変更
【補正の内容】
【０００６】
本発明のカメラは、被写体の撮像を行う撮像部と、画像を投映する投映部と、前記投映部により前記画像の投映を行いつつ前記撮像部により前記被写体の撮像を行なう撮像制御部と、前記撮像部から出力される画像データに基づいて主要被写体を検出する検出部と、前記検出部により検出された前記主要被写体に基づいて、前記投映部により投映する前記画像を決定する決定部とを備える。
また、本発明のカメラは、被写体の撮像を行う撮像部と、画像を投映する投映部と、前記投映部により前記画像の投映を行いつつ前記撮像部により前記被写体の撮像を行ない、撮像した画像を記憶媒体に記憶する撮像制御部とを備える。
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
ピクチャ内の少なくとも１つのブロックのピクチャ・データを復号するビデオ復号器を有する装置であって、１つ以上のツリー構造は、前記ブロックの係数有意性を示すデータのバイナリ・セットを復号するために使用され、前記１つ以上のツリー構造の各々は、複数のノードを有し、前記１つ以上のツリー構造のうちの少なくとも１つのツリー構造のノードのうちの少なくとも１つは、１つ以上のパラメータに応じて変更され、一部のノードは第１の方法で処理され、他のノードは別の方法で処理される、前記装置。
【請求項２】
ビデオ復号器において、ピクチャ内のブロックのピクチャ・データを復号するステップを含む方法であって、１つ以上のツリー構造は、前記ブロックの係数有意性を示すデータのバイナリ・セットを復号するために使用され、前記１つ以上のツリー構造の各々は、複数のノードを有し、前記１つ以上のツリー構造のうちの少なくとも１つのツリー構造のノードのうちの少なくとも１つは、１つ以上のパラメータに応じて変更され、一部のノードは第１の方法で処理され、他のノードは別の方法で処理される、前記方法。
【手続補正書】
【提出日】平成27年12月9日(2015.12.9)
【手続補正１】
【補正対象書類名】明細書
【補正対象項目名】発明の名称
【補正方法】変更
【補正の内容】
【発明の名称】監視装置、監視対象装置、及びプログラム
【手続補正２】
【補正対象書類名】明細書
【補正対象項目名】０００１
【補正方法】変更
【補正の内容】
【０００１】
本発明は、監視装置、監視対象装置、及びプログラムに関する。
【手続補正３】
【補正対象書類名】明細書
【補正対象項目名】０００８
【補正方法】変更
【補正の内容】
【０００８】
上記目的を達成するため、本発明に係る監視装置は、監視対象装置とネットワークを介して接続された監視装置であって、前記監視対象装置から該監視対象装置の状態情報を取得するのに先立ち、該監視対象装置に対して該監視対象装置における省電力対象部が省電力状態にあるときには応答が無視される応答要求を送信し、該応答要求に対して応答があった場合に、該監視対象装置に対して前記状態情報を要求するための状態要求を送信する送信手段を備えたことを特徴とする。
また、本発明に係る監視対象装置は、監視装置とネットワークを介して接続された監視対象装置であって、省電力対象部が省電力状態にあるときには、前記監視装置から該監視対象装置の状態情報を要求するのに先立って送信された応答要求を無視し、前記省電力対象部が前記省電力状態にないときには、前記応答要求に応答し、その後に前記監視装置から送信された前記状態情報を要求するための状態要求に応答する送信手段を備えたことを特徴とする。
【手続補正４】
【補正対象書類名】特許請求の範囲
【補正対象項目名】全文
【補正方法】変更
【補正の内容】
【特許請求の範囲】
【請求項１】
監視対象装置とネットワークを介して接続された監視装置であって、
前記監視対象装置から該監視対象装置の状態情報を取得するのに先立ち、該監視対象装置に対して該監視対象装置における省電力対象部が省電力状態にあるときには応答が無視される応答要求を送信し、該応答要求に対して応答があった場合に、該監視対象装置に対して前記状態情報を要求するための状態要求を送信する送信手段を備えたことを特徴とする監視装置。
【請求項２】
前記状態情報の取得対象となる複数の監視対象装置のアドレス情報を記憶する記憶手段を備え、
前記送信手段は、
前記記憶手段を参照し、複数の前記監視対象装置に対して前記応答要求をマルチキャスト送信する、
ことを特徴とする請求項１に記載の監視装置。
【請求項３】
監視装置とネットワークを介して接続された監視対象装置であって、
省電力対象部が省電力状態にあるときには、前記監視装置から該監視対象装置の状態情報を要求するのに先立って送信された応答要求を無視し、前記省電力対象部が前記省電力状態にないときには、前記応答要求に応答し、その後に前記監視装置から送信された前記状態情報を要求するための状態要求に応答する送信手段を備えたことを特徴とする監視対象装置。
【請求項４】
ネットワークに接続された監視対象装置を監視するコンピュータに、
前記監視対象装置から該監視対象装置の状態情報を取得するのに先立ち、該監視対象装置に対して該監視対象装置における省電力対象部が省電力状態にあるときには応答が無視される応答要求を送信し、該応答要求に対して応答があった場合に、該監視対象装置に対して前記状態情報を要求するための状態要求を送信する機能を実現させるためのプログラム。
【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
識別情報の可変表示を実行可能な遊技機であって、
識別情報の可変表示に基づいて特定表示を行う特定表示手段と、
演出結果として前記特定表示の表示態様を変化させる第１態様または前記特定表示の表示態様を変化させない第２態様のいずれか一方が表示される特定演出を実行する特定演出実行手段と、を備え、
前記特定演出実行手段は、前記特定演出の演出結果が前記第２態様となる場合に、当該特定演出を演出途中で終了可能である、
ことを特徴とする遊技機。
【請求項２】
遊技の進行を制御する遊技制御手段と、
前記遊技制御手段からの情報に基づいて、演出の実行を制御する演出制御手段と、を備える、
ことを特徴とする請求項１に記載の遊技機。
【手続補正２】
【補正対象書類名】明細書
【補正対象項目名】０００７
【補正方法】変更
【補正の内容】
【０００７】
（１）上記目的を達成するため、本願発明に係る遊技機は、
識別情報の可変表示を実行可能な遊技機（例えば、パチンコ遊技機１など）であって、
識別情報の可変表示に基づいて特定表示（例えば、可変表示対応表示部９Ｆに表示される可変表示対応表示や第１保留表示部１８ｃまたは第２保留表示部１８ｄに表示される保留表示）を行う特定表示手段（例えば、ステップＳ８１６の処理を実行する演出制御用ＣＰＵ１０１など）と、
演出結果として前記特定表示の表示態様を変化させる第１態様（例えば、成功態様など）または前記特定表示の表示態様を変化させない第２態様（例えば、失敗態様など）のいずれか一方が表示される特定演出（例えば、表示変化演出など）を実行する特定演出実行手段（例えば、ステップＳ８４３の処理を実行する演出制御用ＣＰＵ１０１など）と、を備え、
前記特定演出実行手段は、前記特定演出の演出結果が前記第２態様となる場合に、当該特定演出を演出途中で終了可能である（例えば、図３８（Ｃ）に示す表示変化演出態様テーブルを用いて、表示変化演出を「演出途中停止」または「演出遂行」のいずれの演出態様で実行するかを決定する演出制御用ＣＰＵ１０１など）、
ことを特徴とする。
【手続補正３】
【補正対象書類名】明細書
【補正対象項目名】０００８
【補正方法】変更
【補正の内容】
【０００８】
このような構成によれば、特定演出の演出結果が特定表示の表示態様を変化させない第２態様となる場合における遊技の興趣の低下を抑制することができる。
【手続補正４】
【補正対象書類名】明細書
【補正対象項目名】００１０
【補正方法】変更
【補正の内容】
【００１０】
このような構成によれば、所定演出を実行することにより、特定演出の演出結果が特定表示の表示態様を変化させない第２態様であることを視認困難とすることができるため、遊技の興趣の低下を抑制することができる。
【手続補正５】
【補正対象書類名】明細書
【補正対象項目名】００１１
【補正方法】変更
【補正の内容】
【００１１】
（３）上記（１）または（２）の遊技機において、
前記特定演出実行手段は、前記特定演出の演出結果が前記特定表示の表示態様を変化させない第２態様となるときに、当該特定演出の演出開始から所定期間が経過した後（例えば、表示変化演出の実行開始から３秒後など）に当該特定演出を演出途中で停止可能である（例えば、図４２（Ｃ）に示すタイミングＴｃにおいて表示変化演出を演出途中で停止する部分など）、
ことを特徴とする。
【手続補正６】
【補正対象書類名】明細書
【補正対象項目名】００１２
【補正方法】変更
【補正の内容】
【００１２】
このような構成によれば、特定演出の演出結果が特定表示の表示態様を変化させない第２態様であることを、演出効果を抑えて遊技者に報知することができる。